(57)【要約】【課題】本発明は、検査板振出具と、それを用いた検査板収納容器に関するもので、振出口から検査板を一枚ずつスムーズに振り出せるようにすることを目的とするものである。【解決手段】そして、この目的を達成するために本発明は、天板７と、この天板７の外周部から下方に垂下した案内壁８とを備え、前記天板７の案内壁８上端対向部分に横長の振出口９を設け、この振出口９の横幅は、振り出す検査板５一枚の横幅よりも長く、検査板５二枚分の横幅よりも短くし、この振出口９の横幅に直交する縦幅は、振り出す検査板５一枚の板厚よりも大きく、検査板５二枚分の板厚よりも小さくした。【選択図】図１
2011068379.tif 000002
【特許請求の範囲】
【請求項１】
天板と、この天板の外周部から下方に垂下した案内壁とを備え、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくした検査板振出具。
【請求項２】
案内壁は、中央の案内縦壁と、この案内縦壁の両側において、この案内縦壁とは段を持って存在する整列補助部とを有する請求項１に記載の検査板振出具。
【請求項３】
案内縦壁の横幅は、振り出す検査板一枚の横幅よりも長く、検査板二枚分の横幅よりも短くした請求項２に記載の検査板振出具。
【請求項４】
振出口の対向する長辺の少なくとも一方の中部には、対向する長辺に向けて突出した突出部を形成した請求項１〜３のいずれか一つに記載の検査板振出具。
【請求項５】
突出部の両側における振出口の縦幅は、検査板二枚分の板厚よりも大きくした請求項４に記載の検査板振出具。
【請求項６】
天板の外周面よりも内方に案内壁を設けた請求項１〜５のいずれか一つに記載の検査板振出具。
【請求項７】
上端が開口した筒状の容器と、この容器内の上端開口部からこの容器内に挿入された請求項１〜６のいずれか一つに記載の検査板振出具とを備えた検査板収納容器。
【請求項８】
容器内壁面の中部から下方にかけて乾燥剤層を設け、この容器内の上部に、請求項６に記載の検査板振出具の天板を嵌合させた検査板収納容器。
【請求項９】
検査板振出具の案内縦壁の両面は、容器内壁面に当接させた請求項８に記載の検査板収納容器。
【請求項１０】
容器の上面開口部上方には、検査板振出具の天板上を覆った状態で、容器の上面開口部を開閉自在に覆う蓋を設けた請求項７〜９のいずれか一つに記載の検査板収納容器。
【発明の詳細な説明】
【技術分野】
【０００１】
本発明は、検査板振出具と、それを用いた検査板収納容器に関するものである。
【背景技術】
【０００２】
例えば血糖値検査を行う検査板は、検査板収納容器内に複数枚収納された状態で持ち歩かれ、使用時には、検査板収納容器内から一枚ずつ取り出して使用するようにしている。
【０００３】
しかしながら、検査板が検査板収納容器内で重なった状態になっているので、その状態から一枚の検査板を取り出すのは手間のかかることであった。また、そのために一度にたくさんの検査板を取り出し、それを散乱させてしまうこともあった。
【０００４】
そこで、検査板を一枚ずつ取り出すことが出来るようにした検査板収納容器が提案され、その構造としては次のようになっていた。
【０００５】
すなわち、上端が開口した筒状の容器と、この容器内の上端開口部からこの容器内に挿入された検査板振出具とを備え、前記検査板振出具は、前記容器の上端開口部に嵌合される天板を有し、この天板には、Ｌ字状の振出口を設けていた。
【０００６】
また、天板の下面には、前記Ｌ字状の振出口に合わせ、下方に垂下したＬ字状の案内壁を設けていた。
【０００７】
そして、振出口を下方にして容器を振れば、Ｌ字状の案内壁の一面と、他面に沿って整列した検査板が、この整列状態から前記振出口を介して一枚ずつ振り出せる構成としていたのである（例えば下記特許文献１）。
【先行技術文献】
【特許文献】
【０００８】
【特許文献１】特開２００６−１８８２５５号公報
【発明の概要】
【発明が解決しようとする課題】
【０００９】
上記従来例における課題は、振出口から検査板を一枚ずつスムーズに振り出せないことがあるということであった。
【００１０】
すなわち、上記従来例によれば、振出口と案内壁がいずれもＬ字状となっているので、Ｌ字状の振出口には一度に二枚の検査板が進入し、この時の両者の衝突力、または摩擦力により、結論として一枚の検査板も振り出せなかったり、あるいは二枚が一度に進入する結果としてＬ字状の振出口に詰まった状態になったりし、この結果として振出口から検査板を一枚ずつスムーズに振り出せない状況を現出させるものであった。
【００１１】
そこで、本発明は、振出口から検査板を一枚ずつスムーズに振り出せるようにすることを目的とするものである。
【課題を解決するための手段】
【００１２】
そして、この目的を達成するために本発明の検査板振出具は、天板と、この天板の外周部から下方に垂下した案内壁とを備え、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくし、これにより所期の目的を達成するものである。
【発明の効果】
【００１３】
以上のように本発明の検査板振出具は、天板と、この天板の外周部から下方に垂下した案内壁とを備え、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくしたものであるので、振出口から検査板を一枚ずつスムーズに振り出せるようになる。
【００１４】
すなわち、本発明は、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくしたものであるので、振出口には一枚の検査板しか進入せず、この結果として、振出口から検査板を一枚ずつスムーズに振り出せるようになるのである。
【図面の簡単な説明】
【００１５】
【図１】本発明の（実施の形態１）にかかる検査板収納容器の斜視図
【図２】図１のＡ−Ａ線断面図
【図３】図１のＢ−Ｂ線断面図
【図４】図３のＣ−Ｃ線断面図
【図５】同検査板収納容器に用いる容器の斜視図
【図６】同検査板収納容器に用いる検査板振出具の上方側からの斜視図
【図７】同検査板収納容器に用いる検査板振出具の下方側からの斜視図
【図８】図６のＤ−Ｄ線断面図
【図９】図６のＥ−Ｅ線断面図
【図１０】図７のＦ側からの平面図
【図１１】図７のＧ側からの平面図
【図１２】図１１の一部拡大平面図
【図１３】図１０の状態から動作をみた一部拡大平面図
【図１４】図１０の状態から動作をみた一部拡大平面図
【図１５】図１０の状態から動作をみた一部拡大平面図
【図１６】図１０の状態から動作をみた一部拡大平面図
【図１７】図１０の状態から動作をみた一部拡大平面図
【図１８】図１０の状態から動作をみた一部拡大平面図
【発明を実施するための形態】
【００１６】
以下、本発明の一実施形態を、添付図面を用いて説明する。
【００１７】
（実施の形態１）
図１は本発明の（実施の形態１）を示し、１は上端が開口した円筒状の容器で、この容器１の上端開口縁には蓋２が開閉自在に設けられている。なお、容器１と蓋２は合成樹脂で一体に形成されたもので、前記蓋２は折り線３部分で、容器１の上端開口部に開閉自在となっている。
【００１８】
また、容器１の内面で、中部から下方にかけて、さらに内底面部分には、図２〜図４に示すように、上端が開口した円筒状の乾燥剤層４が一体に設けられている。なお、乾燥剤層４は、軟質樹脂に乾燥剤を含有させたもので、同じく合成樹脂製の容器１と一体化されている。
【００１９】
そしてこの状態で容器１内、具体的には乾燥剤層４で囲まれた部分には、図５に示すように長方形状の検査板５が複数枚収納されている。
【００２０】
検査板５は周知のごとく、長方形状でその一端側（図５の上方側）に検査体液（例えば血液）が付着させられる付着部（図示せず）が設けられ、また他端側（図５の下方側）には、検査器具（図示せず）に挿入する接続電極（図示せず）が設けられている。
【００２１】
使用者は、検査板５を図５のごとく容器１内に複数枚収納させた状態で持ち歩き、検査の都度容器１内から一枚の検査板５を取り出して使用する。
【００２２】
そのため、本実施形態では図１〜図４に示すごとく、容器１内の上端開口部からこの容器１内に図６〜図１２に示した検査板振出具６を挿入した。
【００２３】
検査板振出具６は図６に示すように円板状の天板７と、この天板７の外周部から下方に垂下した案内壁８とを備えた構成となっている。
【００２４】
また、前記天板７の案内壁８上端対向部分には横長の振出口９を設けており、この振出口９の横幅は、振り出す検査板５一枚の横幅よりも長く、検査板５二枚分の横幅よりも短くし、この振出口９の横幅に直交する縦幅は、振り出す検査板５一枚の板厚よりも大きく、検査板５二枚分の板厚よりも小さくしている。
【００２５】
また、横長形状の振出口９の対向する長辺の中部には、図１２に示すごとく対向する長辺に向けて突出した突出部１０を形成している。
【００２６】
そして、このように横長形状の振出口９の対向する長辺の中部にはそれぞれ突出部１０を形成した場合には、対向する突出部１０間の幅（振出口９の縦幅と表現される）は、振り出す検査板５一枚の板厚よりも大きく、検査板５二枚分の板厚よりも小さくしている。
【００２７】
また、このように横長形状の振出口９の対向する長辺の中部にはそれぞれ突出部１０を形成した場合には、突出部１０の両側における振出口９の縦幅は、検査板二枚分の板厚よりも大きくしている。
【００２８】
次に、前記案内壁８は、図６〜図１２に示すごとく、中央の案内縦壁１１と、この案内縦壁１１の両側において、この案内縦壁１１とは段を持って存在する整列補助部１２とを有する構成となっている。
この内、案内縦壁１１の横幅は、振り出す検査板５一枚の横幅よりも長く、検査板５二枚分の横幅よりも短くしている。
【００２９】
また、このような構成となった案内壁８は、図６、図７からも理解されるように、天板７の外周面よりも内方に設けている。
【００３０】
つまり、図１〜図５で説明したように、容器１の内面で、中部から下方にかけて上端が開口した円筒状乾燥剤層４を設けているので、容器１内の上端開口部からこの容器１内に検査板振出具６を挿入する際に、案内壁８が円筒状の乾燥剤層４に衝突することの無いように、案内壁８を、図６、図７からも理解されるように、天板７の外周面よりも内方に設けたのである。
【００３１】
また、容器１の内面で、中部から下方にかけて円筒状の乾燥剤層４を設けており、容器１の内面上方には円筒状の乾燥剤層４が存在していないので、天板７を案内壁８一体化部分よりは径を大きくし、これにより天板７が容器１の上方内面に嵌合し、不用意な外れが発生しないようにしている。
【００３２】
さらに、この時円筒状の乾燥剤層４は軟らかい状態としているので、容器１と検査板振出具６に多少の寸法誤差が発生していても、検査板振出具６を容器１内にスムーズに押し込み、嵌合させることが出来る。
【００３３】
さらにまた、天板７の下端を若干径小とすれば、容器１内への押し込み、嵌合をスムーズにさせることも出来る。
【００３４】
また、このような容器１内への検査板振出具６の押し込み、嵌合時において、案内壁８の両サイド、具体的には両方の整列補助部１２の案内縦壁１１外方側は、図１０からも理解されるように、傾斜した端面とし、これにより円筒状の乾燥剤層４との間に不用意な隙間が形成されないようにしている。
【００３５】
つまり、この案内縦壁１１外方側と、円筒状の乾燥剤層４部分に不用意な隙間が形成されることにより、この隙間部分に検査板５が詰まることの無いようにしているのである。
【００３６】
図１３〜図１８は、使用者が、検査板５を容器１内から一枚を取り出して使用する状態を説明するものである。
【００３７】
つまりこの時には、図１のごとく容器１から蓋２を開放し、次に容器１を反転させ、その状態で容器１を振る。
【００３８】
すると、容器１内では図１３のごとくその振動により、複数の検査板５が積層状態に整列を始める。
【００３９】
図１４では、中央の案内縦壁１１の両側に段をもって存在する整列補助部１２により検査板５が傾斜し、やがては図１５のごとく案内縦壁１１に積層された状態となる。
【００４０】
この時、案内縦壁１１の横幅は、振り出す検査板５一枚の横幅よりも長く、検査板５二枚分の横幅よりも短くしているので、この案内縦壁１１には上下一列の検査板５だけが積層されることになる。
【００４１】
図１６〜図１８は積層枚数が多くなった場合の状態を示しており、整列補助部１２は案内縦壁１１の両側に設けているので、積層枚数が多くなった場合には、これらの図１６〜図１８に示すように、整列補助部１２にもかかる状態で積層が進む。
【００４２】
しかし、上述した振出口９に対向しているのは案内縦壁１１部分だけであるので、整列補助部１２に積層されたものが振出口９に向けて移動することは無い。
【００４３】
それよりも、このように積層状態が進んだ時に、整列補助部１２部分に積層させることで、案内縦壁１１部分に積層された検査板５に不用意な荷重をかけることを抑制することができ、これにより案内縦壁１１に積層された検査板５の内の一枚だけを振出口９に向けて移動させ、スムーズに振り出すことが出来るようになる。
【００４４】
さて、振出口９は上述のごとく、その横幅を、振り出す検査板５一枚の横幅よりも長く、検査板５二枚分の横幅よりも短くし、この振出口９の横幅に直交する縦幅は、振り出す検査板５一枚の板厚よりも大きく、検査板５二枚分の板厚よりも小さくしている。
【００４５】
このため、上述した案内縦壁１１に積層された検査板５の内の一枚だけが、この振出口９から振り出されることになる。
【００４６】
具体的には、本実施形態では、上述のごとく、横長形状の振出口９の対向する長辺の中部には、図１２に示すごとく対向する長辺に向けて突出した突出部１０を形成し、対向する突出部１０間の幅を、振り出す検査板５一枚の板厚よりも大きく、検査板５二枚分の板厚よりも小さくしているので、上述した案内縦壁１１に積層された検査板５の内の一枚だけを、この振出口９から振り出すことになる。
【００４７】
この時、突出部１０の両側における振出口９の縦幅は、検査板二枚分の板厚よりも大きくしているので、検査板５が振り出される時には、検査板５は突出部１０の先端に点接触状態で触れることになるので、振出口９部分における接触抵抗が小さく、その結果として一枚の検査板５をスムーズに振り出すことが出来るようになる。
【００４８】
なお、振出口９における突出部１０と案内縦壁１１の関係は、図１１、図１２に示すごとく一方の突出部１０の先端と、案内縦壁１１が面一状態となっているので、検査板５が振出口９に振り出されてくる時には、検査板５は案内縦壁１１に案内されながら振り出されてくるので、振出口９部分に突出部１０を設けても、その振り出し動作が阻害されることは無い。
【００４９】
また、案内縦壁１１の下端は図２、図３のごとく円筒状の乾燥剤層４の底面よりも上方に配置された状態としており、このようにすることにより検査板振出具６を容器１内に押し込み、嵌合させる時に、案内縦壁１１で円筒状乾燥剤層４を損傷させることを防止できる。
【００５０】
勿論、案内縦壁１１の下端と円筒状の乾燥剤層４の底面間の距離は、検査板５長さよりも小さくし、この間に検査板５が挟まることの無いようにしている。
【産業上の利用可能性】
【００５１】
以上のように本発明の検査板振出具は、天板と、この天板の外周部から下方に垂下した案内壁とを備え、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくしたものであるので、振出口から検査板を一枚ずつスムーズに振り出せるようになる。
【００５２】
すなわち、本発明は、前記天板の案内壁上端対向部分に横長の振出口を設け、この振出口の横幅は、振り出す検査板一枚の横幅よりも長く、検査板二枚分の横幅よりも短くし、この振出口の横幅に直交する縦幅は、振り出す検査板一枚の板厚よりも大きく、検査板二枚分の板厚よりも小さくしたものであるので、振出口には一枚の検査板しか進入せず、この結果として、振出口から検査板を一枚ずつスムーズに振り出せるようになるのである。
【００５３】
このため、検査板収納容器への活用が期待される。
【符号の説明】
【００５４】
１    容器
２    蓋
３    折り線
４    乾燥剤層
５    検査板
６    検査板振出具
７    天板
８    案内壁
９    振出口
１０    突出部
１１    案内縦壁
１２    整列補助部
【図１】
2011068379.tif 000003
【図２】
2011068379.tif 000004
【図３】
2011068379.tif 000005
【図４】
2011068379.tif 000006
【図５】
2011068379.tif 000007
【図６】
2011068379.tif 000008
【図７】
2011068379.tif 000009
【図８】
2011068379.tif 000010
【図９】
2011068379.tif 000011
【図１０】
2011068379.tif 000012
【図１１】
2011068379.tif 000013
【図１２】
2011068379.tif 000014
【図１３】
2011068379.tif 000015
【図１４】
2011068379.tif 000016
【図１５】
2011068379.tif 000017
【図１６】
2011068379.tif 000018
【図１７】
2011068379.tif 000019
【図１８】
2011068379.tif 000020